(57)【要約】【課題】受信合成ダイバーシチを行っている状態で、受信信号に影響を与えることなく送信切り替えダバーシチを行うことができる送受信装置及び送受信方法を提供する。【解決手段】従来用いられていた受信ダイバーシチ用のバンドパスフィルタ９をデュプレクサ１０に変更するとともに、送信信号増幅部５により増幅された無線信号をＳＰＤＴスイッチ１１にて２つのデュプレクサの４，１０いずれか一方に入力できる構成とする。これにより、受信信号経路を変えずに送信信号経路のみを変えることが可能となり、受信信号品質を劣化させることなく、送信切り替えダイバーシチを行うことができる。【選択図】図１
2007311994.tif 000002
【特許請求の範囲】
【請求項１】
送受信共用の複数のアンテナと、
前記複数のアンテナを単一選択又は複数選択するアンテナ選択手段と、
送信周波数の無線信号と受信周波数の無線信号をそれぞれ通過させる２つのデュプレクサと、
前記２つのデュプレクサのうち一方を通過した受信周波数の無線信号を受信する第１の受信手段と、
前記２つのデュプレクサのうち他方を通過した受信周波数の無線信号を受信する第２の受信手段と、
送信周波数の無線信号を前記一方のデュプレクサ側又は前記他方のデュプレクサ側に振り分けるスイッチ手段と、
ダイバーシチ受信モード時に、前記アンテナ選択手段を制御して前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給するように前記スイッチ手段を制御する制御手段と、
を備える送受信装置。
【請求項２】
送受信共用の複数のアンテナと、
前記複数のアンテナを単一選択又は複数選択するアンテナ選択手段と、
受信周波数の無線信号のみを通過させる第１及び第２のフィルタと、
送信周波数の無線信号のみを通過させる第３のフィルタと、
前記第１のフィルタを通過した受信周波数の無線信号を受信する第１の受信手段と、
前記第２のフィルタを通過した受信周波数の無線信号を受信する第２の受信手段と、
前記アンテナ選択手段を介して送信周波数の無線信号を前記複数のアンテナのうち一方に振り分けるスイッチ手段と、
ダイバーシチ受信モード時に、前記アンテナ選択手段を制御して前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給するように前記スイッチ手段を制御する制御手段と、
を備える送受信装置。
【請求項３】
前記スイッチ手段と前記第１のフィルタとの間、前記スイッチ手段と前記第２のフィルタとの間及び前記スイッチ手段と前記第３のフィルタとの間夫々に介挿され、位相整合をとるための３つの整合手段を備える請求項２に記載の送受信装置。
【請求項４】
請求項１乃至請求項３のいずれかに記載の送受信装置を備える通信機器。
【請求項５】
送受信共用の複数のアンテナを単一選択又は複数選択可能とし、送信周波数の無線信号と受信周波数の無線信号をそれぞれ通過させる２つのデュプレクサのうち一方を通過した受信周波数の無線信号を第１の受信手段で受信し、前記２つのデュプレクサのうち他方を通過した受信周波数の無線信号を第２の受信手段で受信し、ダイバーシチ受信モード時には、前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給する送受信方法。
【請求項６】
送受信共用の複数のアンテナを単一選択又は複数選択可能とし、受信周波数の無線信号のみを通過させる第１のフィルタからの無線信号を第１の受信手段で受信するとともに、受信周波数の無線信号のみを通過させる第２のフィルタからの無線信号を第２の受信手段で受信し、ダイバーシチ受信モード時には、前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号のみを通過させる第３のフィルタを介して送信周波数の無線信号を供給する送受信方法。
【発明の詳細な説明】
【技術分野】
【０００１】
本発明は、ＷＣＤＭＡ（Wide Band CDMA）方式の携帯端末等の通信機器に用いて好適な送受信装置及び送受信方法に関する。
【背景技術】
【０００２】
近年、上述した携帯端末においては、加入者数の増加や更なる周波数の有効利用のため、受信合成ダイバーシチを可能としたものの開発が進んでいる（例えば、特許文献１参照）。
【０００３】
図３は、従来の携帯端末で使用されている送受信装置２００の概略構成を示すブロック図である。同図に示す従来の送受信装置２００は、送受信共用の２本のアンテナ１，２と、アンテナ経路切り替えスイッチ３と、デュプレクサ４と、送信信号増幅部５と、受信合成ダイバーシチ用受信部６と、送受信部７と、ベースバンド処理・制御部８と、受信ＲＦ信号用バンドパスフィルタ９とから構成される。
【０００４】
２本のアンテナ１，２は、ダイバーシチを行うためのアンテナである。なお、ダイバーシチを行わないときはいずれか一方が使用される。アンテナ経路切り替えスイッチ３は、２本のアンテナ１，２を受信合成ダイバーシチ用受信部６の経路と送受信部７の経路に対して任意に接続することを可能とする。デュプレクサ４は、送信波と受信波を分離するものであり、例えば送信波を通過させるＳＡＷ（Surface Acoustic Wave）フィルタと受信波を通過させるＳＡＷフィルタとから構成される。送信信号増幅部５は、送受信部７からの送信波を所定レベルまで増幅し出力する。受信合成ダイバーシチ用受信部６は、ダイバーシチ受信時にベースバンド処理・制御部８の制御によって動作し、アンテナ経路切り替えスイッチ３に接続されたアンテナ１あるいはアンテナ２を介して無線信号を受信する。
【０００５】
送受信部７は、ベースバンド処理・制御部８から入力されたベースバンド信号を無線信号に変換して送信波を生成し送信出力端ＴＸから出力するとともに、アンテナ経路切り替えスイッチ３により接続されたアンテナ１あるいはアンテナ２を介して無線信号を受信する。ベースバンド処理・制御部８は、アンテナ経路切り替えスイッチ３、受信合成ダイバーシチ用受信部６及び送受信部７をそれぞれ制御するとともに、送信データからベースバンド信号を生成して送受信部７に入力し、更に受信合成ダイバーシチ用受信部６で受信された無線信号をベースバンド信号に変換し、また送受信部７で受信された無線信号をベースバンド信号に変換する。
【０００６】
また、ベースバンド処理・制御部８は、受信合成ダイバーシチ用受信部６からの受信信号レベル及び送受信部７からの受信信号レベルに応じて適応的にアンテナ１，２の切り替えを行う。なお、１本のアンテナのみで受信するモードはシングルブランチ受信モードと呼ばれ、２本のアンテナの双方で受信するモードはダイバーシチ受信モードと呼ばれる。受信ＲＦ信号用バンドパスフィルタ９は、受信周波数を通過させる特性を有し、アンテナ１あるいはアンテナ２で捉えられた無線信号を通過させるとともに、送受信部７からの送信波の受信合成ダイバーシチ用受信部６への回り込みを防止する。
【０００７】
次に、上記構成の送受信装置２００の動作を説明する。いま、シングルブランチ受信モード状態にあるとして、受信合成ダイバーシチを行う場合、ベースバンド処理・制御部８がアンテナ経路切り替えスイッチ３を制御して、現在使用していない方のアンテナ１もしくはアンテナ２を選択する。また同時に受信合成ダイバーシチ用受信部６を動作させて無線信号を受信させる。現在使用していない方のアンテナが選択され、また受信合成ダイバーシチ用受信部６が受信動作を開始すると、選択されたアンテナで受信された無線信号がバンドパスフィルタ９を通過して受信合成ダイバーシチ用受信部６に入力される。そして、受信合成ダイバーシチ用受信部６で復調された後、ベースバンド処理・制御部８で信号処理される。ベースバンド処理・制御部８には、既に使用中のアンテナを介して送受信部７によって受信された無線信号が入力されており、ベースバンド処理・制御部８は、その無線信号と、今現在使用を開始した（選択された）アンテナで受信合成ダイバーシチ用受信部６が受信した無線信号との合成を行う。
【０００８】
【特許文献１】特開２００５−９４７１４号公報
【発明の開示】
【発明が解決しようとする課題】
【０００９】
しかしながら、従来の送受信装置においては、受信合成ダイバーシチを行いながら、受信合成ダイバーシチ用受信部６及び送受信部７の各受信信号レベルを検出して、受信アンテナ利得が大きい方のアンテナを送信アンテナとして使用する送信切り替えダイバーシチを行う場合、受信信号の経路も切り替わることになるので、その切り替えが行われる間すなわちアンテナ経路切り替えスイッチ３の接点が開放状態になる時間分だけ受信信号が途切れてしまい、位相が不連続となり受信感度が劣化するという問題がある。例えば、アンテナ１が受信合成ダイバーシチ用受信部６に接続されていて、アンテナ２が送受信部７に接続されている状態で、アンテナ１での受信信号レベルがアンテナ２での受信信号レベルを超えている場合、送信の際にアンテナ１を受信合成ダイバーシチ用受信部６側から送受信部７側に切り替えることになる。この切り替え時にアンテナ経路切り替えスイッチ３の接点が開放状態になり、その間受信信号が途切れることになる。
【００１０】
本発明は、係る事情に鑑みてなされたものであり、受信合成ダイバーシチを行っている状態で、受信信号に影響を与えることなく、送信切り替えダイバーシチを行うことができる送受信装置及び送受信方法を提供することを目的とする。
【課題を解決するための手段】
【００１１】
上記目的は下記構成又は方法により達成される。
（１）  送受信装置において、送受信共用の複数のアンテナと、前記複数のアンテナを単一選択又は複数選択するアンテナ選択手段と、送信周波数の無線信号と受信周波数の無線信号をそれぞれ通過させる２つのデュプレクサと、前記２つのデュプレクサのうち一方を通過した受信周波数の無線信号を受信する第１の受信手段と、前記２つのデュプレクサのうち他方を通過した受信周波数の無線信号を受信する第２の受信手段と、送信周波数の無線信号を前記一方のデュプレクサ側又は前記他方のデュプレクサ側に振り分けるスイッチ手段と、ダイバーシチ受信モード時に、前記アンテナ選択手段を制御して前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給するように前記スイッチ手段を制御する制御手段と、を備える。
【００１２】
（２）  送受信装置において、送受信共用の複数のアンテナと、前記複数のアンテナを単一選択又は複数選択するアンテナ選択手段と、受信周波数の無線信号のみを通過させる第１及び第２のフィルタと、送信周波数の無線信号のみを通過させる第３のフィルタと、前記第１のフィルタを通過した受信周波数の無線信号を受信する第１の受信手段と、前記第２のフィルタを通過した受信周波数の無線信号を受信する第２の受信手段と、前記アンテナ選択手段を介して送信周波数の無線信号を前記複数のアンテナのうち一方に振り分けるスイッチ手段と、ダイバーシチ受信モード時に、前記アンテナ選択手段を制御して前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給するように前記スイッチ手段を制御する制御手段と、を備える。
【００１３】
（３）  上記（２）に記載の送受信装置において、前記スイッチ手段と前記第１のフィルタとの間、前記スイッチ手段と前記第２のフィルタとの間及び前記スイッチ手段と前記第３のフィルタとの間夫々に介挿され、位相整合をとるための３つの整合手段を備える。
【００１４】
（４）  通信機器において、上記（１）乃至（３）のいずれかに記載の送受信装置を備える。
【００１５】
（５）  送受信方法において、送受信共用の複数のアンテナを単一選択又は複数選択可能とし、送信周波数の無線信号と受信周波数の無線信号をそれぞれ通過させる２つのデュプレクサのうち一方を通過した受信周波数の無線信号を第１の受信手段で受信し、前記２つのデュプレクサのうち他方を通過した受信周波数の無線信号を第２の受信手段で受信し、ダイバーシチ受信モード時には、前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号を供給する。
【００１６】
（６）  送受信方法において、送受信共用の複数のアンテナを単一選択又は複数選択可能とし、受信周波数の無線信号のみを通過させる第１のフィルタからの無線信号を第１の受信手段で受信するとともに、受信周波数の無線信号のみを通過させる第２のフィルタからの無線信号を第２の受信手段で受信し、ダイバーシチ受信モード時には、前記複数のアンテナのうち一方を前記第１の受信手段側に切り替え、他方を前記第２の受信手段側に切り替え、ダイバーシチ受信モード状態で送信を行う場合は、前記第１の受信手段と前記第２の受信手段のうち、受信信号レベルの大きい方で使用されている前記アンテナに送信周波数の無線信号のみを通過させる第３のフィルタを介して送信周波数の無線信号を供給する。
【発明の効果】
【００１７】
上記（１）に記載の送受信装置では、従来用いられていた受信ダイバーシチ用のバンドパスフィルタをデュプレクサに変更するとともに、無線信号をスイッチ手段にて２つのデュプレクサのいずれか一方に入力できるようにしたので、受信信号の経路を切り替えずに送信信号の経路を切り替えることができる。したがって、受信合成ダイバーシチを行っている状態で、受信信号に影響を与えることなく送信切り替えダイバーシチを行うことが可能となる。
【００１８】
上記（２）に記載の送受信装置では、２つの受信系に受信周波数の無線信号のみを通過させる第１及び第２のフィルタを備えるとともに、送信系に送信周波数の無線信号のみを通過させる第３のフィルタを備え、無線信号をスイッチ手段にて複数のアンテナのいずれか一方に入力できるようにしたので、受信信号の経路を切り替えずに送信信号の経路を切り替えることができる。したがって、受信合成ダイバーシチを行っている状態で、受信信号に影響を与えることなく送信切り替えダイバーシチを行うことが可能となる。
【００１９】
上記（３）に記載の送受信装置では、スイッチ手段と各フィルタとの間の位相整合を取ることができる。
【００２０】
上記（４）に記載の通信機器では、受信合成ダイバーシチを行っている状態で、受信信号に影響を与えることなく送信切り替えダイバーシチを行うことが可能となる。
【００２１】
上記（５）に記載の送受信方法では、受信信号の経路を切り替えずに送信信号の経路を切り替えることができるので、受信合成ダイバーシチを行っている状態で、受信信号に影響を与えることなく送信切り替えダイバーシチを行うことが可能となる。
【００２２】
上記（６）に記載の送受信方法では、受信信号の経路を切り替えずに送信信号の経路を切り替えることができるので、受信合成ダイバーシチを行っている状態で、受信信号に影響を与えることなく送信切り替えダイバーシチを行うことが可能となる。
【発明を実施するための最良の形態】
【００２３】
以下、本発明を実施するための好適な実施の形態について、図面を参照して詳細に説明する。
【００２４】
（実施の形態１）
図１は、本発明の実施の形態１に係る送受信装置の概略構成を示すブロック図である。なお、同図において、前述した図３と同一要素には同一の符号を付し、重複する説明を省略する。本実施の形態の送受信装置１００は、送受信共用の２本のアンテナ１，２と、アンテナ選択と送受信信号経路選択のためのアンテナ経路切り替えスイッチ３と、デュプレクサ４及び１０と、送信信号増幅部５と、受信合成ダイバーシチ用受信部６と、変復調を行う送受信部７と、ベースバンド処理・制御部８と、送信信号を切り替えるためのＳＰＤＴ（Single Pole Double Throw）スイッチ１１とを備えて構成される。なお、送受信部７は、送信用と受信用に分かれていても良い。デュプレクサ１０は、デュプレクサ４と同様に、送信波と受信波を分離するものであり、例えば送信波を通過させるＳＡＷフィルタと受信波を通過させるＳＡＷフィルタとから構成される。
【００２５】
なお、アンテナ経路切り替えスイッチ３はアンテナ選択手段に対応し、送受信部７は第１の受信手段に対応し、受信合成ダイバーシチ用受信部６は第２の受信手段に対応し、ＳＰＤＴスイッチ１１はスイッチ手段に対応し、ベースバンド処理・制御部８は制御手段に対応する。
【００２６】
次に、上記構成の送受信装置１００の動作を説明する。
【００２７】
（受信合成ダイバーシチを行わない場合）
ベースバンド処理・制御部８は、受信合成ダイバーシチ用受信部６の動作を停止させて送受信部７のみを動作させる。更にＳＰＤＴスイッチ１１を制御して送信信号増幅部５の出力をデュプレクサ４側に切り替える。この処理を行った後、送信データから生成したベースバンド信号を送受信部７に入力する。これにより、送受信部７にてベースバンド信号が変調されて無線信号（送信信号）が生成され、送信信号出力端ＴＸから送信信号増幅部５に入力される。送信信号増幅部５で所定レベルまでの増幅された後、ＳＰＤＴスイッチ１１を経由してデュプレクサ４に入力される。そして、デュプレクサ４からアンテナ経路切り替えスイッチ３を経由してアンテナ１もしくはアンテナ２に入力されて送信される。一方、アンテナ１もしくはアンテナ２で捉えられた無線信号（受信信号）がアンテナ経路切り替えスイッチ３を経由してデュプレクサ４に入力される。そして、デュプレクサ４から送受信部７の受信信号入力端ＲＸ１に入力されて復調された後、ベースバンド処理・制御部８に入力されて信号処理される。以上の送受信動作は１つのアンテナを共用する。
【００２８】
（受信合成ダイバーシチを行う場合）
ベースバンド処理・制御部８は、２つの受信信号経路の残り１つを使用するため、受信合成ダイバーシチ用受信部６を動作させる。また、上記記載において使用していない方のアンテナ１もしくはアンテナ２を使用するためにアンテナ経路切り替えスイッチ３を制御して、該アンテナを受信合成ダイバーシチ用受信部６側に接続して受信信号を受ける。上記記載において使用していない方のアンテナ１もしくはアンテナ２で捉えられた無線信号はデュプレクサ１０を経由して受信合成ダイバーシチ用受信部６に入力されて復調された後、ベースバンド処理・制御部８に入力されて信号処理される。
【００２９】
（送信切り替えダイバーシチを行う場合）
受信合成ダイバーシチを行いながら、送信切り替えダイバーシチを行う場合、ベースバンド処理・制御部８は、受信合成ダイバーシチ用受信部６で受けた受信信号と送受信部７で受けた受信信号のうち、信号レベルの大きい方が使用しているアンテナを選択するように、ＳＰＤＴスイッチ１１を切り替えて送信切り替えダイバーシチを行う。例えば、受信合成ダイバーシチ用受信部６がアンテナ１を使用し、送受信部７がアンテナ２を使用して受信合成ダイバーシチを行っている状態で、アンテナ１の方の信号レベルが高ければ、ＳＰＤＴスイッチ１１がデュプレクサ１０側に切り替わり、アンテナ２の方の信号レベルが高ければ、ＳＰＤＴスイッチ１１がデュプレクサ４側に切り替わる。この間、アンテナ経路切り替えスイッチ３の接点がオープンになることがない。すなわち、受信信号が途切れることがない。
【００３０】
このように本実施の形態の送受信装置１００によれば、従来用いられていた受信ダイバーシチ用のバンドパスフィルタ９をデュプレクサ１０に変更するとともに、送信信号増幅部５により増幅された無線信号をＳＰＤＴスイッチ１１にて２つのデュプレクサの４，１０いずれか一方に入力できるようにしたので、受信信号の経路を切り替えずに送信信号の経路を切り替えることができる。したがって、受信合成ダイバーシチを行っている状態で、受信信号に影響を与えることなく送信切り替えダイバーシチを行うことが可能となる。
【００３１】
なお、上記実施の形態では、２本のアンテナを備えた場合であったが、３本以上であっても同様の作用・効果を得ることができる。
【００３２】
（実施の形態２）
図２は、本発明の実施の形態２に係る送受信装置１１０の概略構成を示すブロック図である。なお、同図において前述した図１と同一要素には同一の符号を付し、重複する説明を省略する。図１に示す送受信装置１００と異なる点は、デュプレクサ４を、受信周波数成分を通し送信周波数成分を通さない特性のフィルタ１４に変更するとともに、デュプレクサ１０を、受信周波数成分を通し送信周波数成分を通さない特性のフィルタ１５に変更し、またＳＰＤＴスイッチ１１と送信信号増幅部５との間に送信周波数成分を通し受信周波数成分を通さない特性のフィルタ１６を挿入するとともに、フィルタ１４〜１６とアンテナ経路切り替えスイッチ３との間にアンテナ経路切り替えスイッチ３とフィルタ１４〜１６との位相整合を取るための整合回路１７〜１９を挿入し、更にＳＰＤＴスイッチ１１の２つの出力端をフィルタ１４，１５に接続せず直接アンテナ経路切り替えスイッチ３に接続するようにした点にある。
【００３３】
なお、アンテナ経路切り替えスイッチ３はアンテナ選択手段に対応し、送受信部７は第１の受信手段に対応し、受信合成ダイバーシチ用受信部６は第２の受信手段に対応し、ＳＰＤＴスイッチ１１はスイッチ手段に対応し、ベースバンド処理・制御部８は制御手段に対応し、フィルタ１４は第１のフィルタに対応し、フィルタ１５は第２のフィルタに対応し、フィルタ１６は第３のフィルタに対応し、整合回路１７〜１９はそれぞれ整合手段に対応する。
【００３４】
次に、上記構成の送受信装置１１０の動作を説明する。
【００３５】
（受信合成ダイバーシチを行わない場合）
ベースバンド処理・制御部８は、受信合成ダイバーシチ用受信部６の動作を停止させて送受信部７のみを動作させる。更にＳＰＤＴスイッチ１１を制御して送信信号増幅部５の出力を整合回路１８側に切り替える。この処理を行った後、送信データから生成したベースバンド信号を送受信部７に入力する。これにより、送受信部７にてベースバンド信号が変調されて無線信号（送信信号）が生成され、送信信号出力端ＴＸから送信信号増幅部５に入力される。送信信号増幅部５で所定レベルまでの増幅された後、フィルタ１６、整合回路１９、ＳＰＤＴスイッチ１１を経由してアンテナ１もしくはアンテナ２に入力されて送信される。
【００３６】
一方、アンテナ１もしくはアンテナ２で捉えられた無線信号（受信信号）がアンテナ経路切り替えスイッチ３、整合回路１８、フィルタ１４を経由して送受信部７の受信信号入力端ＲＸ１に入力される。送受信部７で復調された後、ベースバンド処理・制御部８に入力されて信号処理される。以上の送受信動作は１つのアンテナを共用する。このときフィルタ１６及び整合回路１９を通過した送信信号は整合回路１８にも入力されるが、フィルタ１４の特性により送受信部７の受信信号入力端ＲＸ１側に漏洩することはない。また、受信信号もＳＰＤＴスイッチ１１、整合回路１９を通過してフィルタ１６に入力されるが、フィルタ１６の特性により送受信部７の送信信号出力端ＴＸ１側に漏洩することはない。
【００３７】
（受信合成ダイバーシチを行う場合）
ベースバンド処理・制御部８は、２つの受信信号経路の残り１つを使用するため、受信合成ダイバーシチ用受信部６を動作させる。また、上記記載において使用していない方のアンテナ１もしくはアンテナ２を使用するため、アンテナ経路切り替えスイッチ３を制御して、該アンテナを受信合成ダイバーシチ用受信部６側に接続して受信信号を受ける。上記記載において使用していない方のアンテナ１もしくはアンテナ２で捉えられた無線信号は、整合回路１７、フィルタ１５を経由して受信合成ダイバーシチ用受信部６に入力されて復調された後、ベースバンド処理・制御部８に入力されて信号処理される。
【００３８】
（送信切り替えダイバーシチを行う場合）
受信合成ダイバーシチを行いながら、送信切り替えダイバーシチを行う場合、ベースバンド処理・制御部８は、受信合成ダイバーシチ用受信部６で受けた受信信号と送受信部７で受けた受信信号のうち、信号レベルの大きい方が使用しているアンテナを選択するように、ＳＰＤＴスイッチ１１を切り替えて送信切り替えダイバーシチを行う。例えば、受信合成ダイバーシチ用受信部６がアンテナ１を使用し、送受信部７がアンテナ２を使用して受信合成ダイバーシチを行っている状態で、アンテナ１の方の信号レベルが高ければ、ＳＰＤＴスイッチ１１が整合回路１７側に切り替わり、アンテナ２の方の信号レベルが高ければ、ＳＰＤＴスイッチ１１が整合回路１８側に切り替わる。この間、アンテナ経路切り替えスイッチ３の接点がオープンになることがない。すなわち、受信信号が途切れることがない。
【００３９】
このように本実施の形態の送受信装置１１０によれば、２つの受信系それぞれに受信周波数の無線信号のみを通過させるフィルタ１４，１５を備え、送信系に送信周波数の無線信号のみを通過させるフィルタ１６を備え、送信信号増幅部５により増幅された無線信号をＳＰＤＴスイッチ１１にて２つのアンテナ１，２いずれか一方に入力できるようにしたので、受信信号の経路を切り替えずに送信信号の経路を切り替えることができる。したがって、受信合成ダイバーシチを行っている状態で、受信信号に影響を与えることなく送信切り替えダイバーシチを行うことが可能となる。
【００４０】
また、実施の形態１に係る送受信装置１００の構成と比較して、整合回路１７，１８を追加するものの、デュプレクサ４，１０をフィルタ１４，１５，１６に変更するだけであるので、回路規模の縮小化が図れるとともにコストの削減が可能となる。また、アンテナ経路切り替えスイッチ３とＳＰＤＴスイッチ１１を統合させることが可能であり、回路規模を更に縮小することができる。
【００４１】
なお、上記実施の形態では、２本のアンテナを備えた場合であったが、３本以上であっても同様の作用・効果を得ることができる。
【産業上の利用可能性】
【００４２】
本発明は、受信合成ダイバーシチを行っている状態で、受信信号に影響を与えることなく送信切り替えダイバーシチを行うことができるといった効果を有し、ダイバーシチ機能を持つ携帯端末等の通信機器への適用が可能である。
【図面の簡単な説明】
【００４３】
【図１】本発明の実施の形態１に係る送受信装置の概略構成を示すブロック図
【図２】本発明の実施の形態２に係る送受信装置の概略構成を示すブロック図
【図３】従来の送受信装置の概略構成を示すブロック図
【符号の説明】
【００４４】
１、２  アンテナ
３  アンテナ経路切り替えスイッチ
４、１０  デュプレクサ
５  送信信号増幅部
６  受信合成ダイバーシチ用受信部
７  送受信部
８  ベースバンド処理・制御部
１１  ＳＰＤＴスイッチ
１４、１５、１６  フィルタ
１７、１８、１９  整合回路
１００、１１０  送受信装置
【図１】
2007311994.tif 000003
【図２】
2007311994.tif 000004
【図３】
2007311994.tif 000005